(57)【特許請求の範囲】
【請求項１】
複数のチャンネルで放送される複数の番組の番組情報を含む電子番組ガイド画面を生成するテレビジョン信号受信装置であって、
チャンネルと放送時刻とによって規定される各番組の番組情報を表示する番組領域を、一方の軸をチャンネルとし、他方の軸を放送時刻としたマトリクス形式の領域内に配置して表示する第１の表示領域と、前記第１の表示領域外に設けられ、前記第１の表示領域に配置された複数の番組領域のうち、選択された１つの番組領域に相当する番組の番組情報を表示する第２の表示領域とを少なくとも含む電子番組ガイド画面を生成する生成手段と、
前記生成手段で生成した前記電子番組ガイド画面を表示部に表示させる表示手段と、
前記電子番組ガイド画面の前記第１の表示領域に配置された複数の番組領域のうち、１つの番組領域を選択可能なカーソルを操作するためのユーザからの指示入力を受け付ける操作手段と、
前記電子番組ガイド画面の前記第１の表示領域に表示しないチャンネル及び／又は時刻範囲をユーザが設定するための設定手段と、を有し、
前記生成手段は、前記設定手段で設定されたチャンネル及び／又は時刻範囲に含まれる番組の番組領域を、番組情報に代えて所定のマーク情報を表示するマーク表示領域に置換するとともに、当該マーク表示領域に置換する前には前記第１の表示領域には表示されていなかったチャンネル及び／又は時刻に対応する番組領域を前記第１の表示領域に配置して表示するようにした電子番組ガイド画面を生成し、当該電子番組ガイド画面において表示された前記マーク表示領域がユーザによる操作によりカーソルで選択された場合、選択されたマーク表示領域に置換された前記番組領域を表示するための操作を示すメッセージを前記第２の表示領域に表示することを特徴とするテレビジョン信号受信装置。
【請求項２】
前記操作手段は、前記第２の表示領域に表示された、カーソルで選択されたマーク表示領域に置換された前記番組領域を表示するための表示操作の指示入力を受けることが可能であり、
前記生成手段は、前記操作手段で受けた表示操作の指示に応じて、マーク表示領域に置換された番組領域に対応する各番組の番組情報を前記第１の表示領域に表示する電子番組ガイド画面を生成することを特徴とする請求項１に記載のテレビジョン信号受信装置。
【請求項３】
複数のチャンネルで放送される複数の番組の番組情報を含む電子番組ガイド画面を生成するテレビジョン信号受信方法であって、
チャンネルと放送時刻とによって規定される各番組の番組情報を表示する番組領域を、一方の軸をチャンネルとし、他方の軸を放送時刻としたマトリクス形式の領域内に配置して表示する第１の表示領域と、前記第１の表示領域外に設けられ、前記第１の表示領域に配置された複数の番組領域のうち、選択された１つの番組領域に相当する番組の番組情報を表示する第２の表示領域とを少なくとも含む電子番組ガイド画面を生成する生成工程と、
前記生成工程で生成した前記電子番組ガイド画面を表示部に表示させる表示工程と、
前記電子番組ガイド画面の前記第１の表示領域に配置された複数の番組領域のうち、１つの番組領域を選択可能なカーソルを操作するためのユーザからの指示入力を受け付ける操作工程と、
前記電子番組ガイド画面の前記第１の表示領域に表示しないチャンネル及び／又は時刻範囲をユーザが設定するための設定工程と、を有し、
前記生成工程では、前記設定工程で設定されたチャンネル及び／又は時刻範囲に含まれる番組の番組領域を、番組情報に代えて所定のマーク情報を表示するマーク表示領域に置換するとともに、当該マーク表示領域に置換する前には前記第１の表示領域には表示されていなかったチャンネル及び／又は時刻に対応する番組領域を前記第１の表示領域に配置して表示するようにした電子番組ガイド画面を生成し、当該電子番組ガイド画面において表示された前記マーク表示領域がユーザによる操作によりカーソルで選択された場合、選択されたマーク表示領域に置換された前記番組領域を表示するための操作を示すメッセージを前記第２の表示領域に表示することを特徴とするテレビジョン信号受信方法。
【請求項４】
前記操作工程では、前記第２の表示領域に表示された、カーソルで選択されたマーク表示領域に置換された前記番組領域を表示するための表示操作の指示入力を受けることが可能であり、
前記生成工程では、前記操作工程で受けた表示操作の指示に応じて、マーク表示領域に置換された番組領域に対応する各番組の番組情報を前記第１の表示領域に表示する電子番組ガイド画面を生成することを特徴とする請求項３に記載のテレビジョン信号受信方法。
【発明の詳細な説明】
【０００１】
【発明の属する技術分野】
本発明はテレビジョン信号受信装置に関し、特には、デジタルテレビ放送で送信される番組情報データ（ＥＰＧ；Electric Program Guide）の表示に関する。
【０００２】
【従来の技術】
現在行われている通信衛星（ＣＳ；Communication Satellite）を用いたデジタル衛星TV放送においては、視聴者サービスの一環として番組情報データ（ＥＰＧ；Electric Program Guide）を他の映像データ等と共に送信している。また、今後予定されている放送衛星（ＢＳ；Broadcast Satellite）を用いたデジタル衛星TV放送や、地上波デジタルTV放送においても、同様のサービスが行われると考えられる（以下、デジタル衛星TV放送、地上波デジタル放送を含め、単に“デジタルTV放送”とする）。
【０００３】
このＥＰＧデータは受信機により受信され、ＥＰＧデータに係る番組情報は表示部及び表示装置に表示される。ＥＰＧデータには、チャンネル名、番組名、放送日時、番組内容等の情報が含まれ、ユーザはそれらの情報から番組の視聴価値を判断することができる。
【０００４】
【発明が解決しようとする課題】
従来のＥＰＧ画面表示においては、一般的に、画像表示部の画面の大きさがある程度迄限られていることや、ユーザが見易いような適度な大きさの表示文字フォントを使用する等の事情から、一画面中に表示できる時間軸の幅、チャンネル数は非常に少ないものとなる。
【０００５】
また、デジタルＴＶ放送では、数百もの非常に多くのチャンネル数を放送するため、ＥＰＧ画面に自動的に表示される番組情報は莫大なものとなる。
【０００６】
しかし、ＥＰＧ画面に自動的に表示される時間帯やチャンネルは、ユーザが日常的に番組を視聴しない時間帯や視聴不可能なチャンネルをも含まれている。例えば、ユーザが会社員であるならば、その勤務時間帯、他にも、ユーザが契約していない有料チャンネル等が自動的にＥＰＧ画面に表示されてしまう。つまり、限られたＥＰＧ画面上に不必要な番組情報をも表示してしまうために、必要な番組情報を効率良く表示することができない。
【０００７】
従って、ユーザは所望の番組情報を表示させるために、度々、表示画面をスクロールしたり、チャンネル番号を指定して表示画面を切り換えたりという煩わしさがあった。
【０００８】
また、不必要な番組情報をＥＰＧ画面からすっかり削除してしまう場合には、どの番組情報が削除されているのかが認識し難く、視認性がよくなかった。更に、削除された番組情報の確認には、煩わしい操作が必要であった。
【０００９】
本発明は前述の如き問題を解決することを目的とする。
【００１０】
本発明の更に他の目的は、ＥＰＧ画面表示において、必要な番組情報を効率よく表示し、所望の番組情報を容易に見つけることを可能とする処にある。
【００１１】
本発明の更に他の目的は、不必要な番組情報の存在を明示し、視認性を向上させると共に、容易にその番組情報の確認を可能とする処にある。
【００１２】
【課題を解決するための手段】
本発明は、上述した課題に鑑みなされたものであり、複数のチャンネルで放送される複数の番組の番組情報を含む電子番組ガイド画面を生成するテレビジョン信号受信装置であって、チャンネルと放送時刻とによって規定される各番組の番組情報を表示する番組領域を、一方の軸をチャンネルとし、他方の軸を放送時刻としたマトリクス形式の領域内に配置して表示する第１の表示領域と、前記第１の表示領域外に設けられ、前記第１の表示領域に配置された複数の番組領域のうち、選択された１つの番組領域に相当する番組の番組情報を表示する第２の表示領域とを少なくとも含む電子番組ガイド画面を生成する生成手段と、前記生成手段で生成した前記電子番組ガイド画面を表示部に表示させる表示手段と、前記電子番組ガイド画面の前記第１の表示領域に配置された複数の番組領域のうち、１つの番組領域を選択可能なカーソルを操作するためのユーザからの指示入力を受け付ける操作手段と、前記電子番組ガイド画面の前記第１の表示領域に表示しないチャンネル及び／又は時刻範囲をユーザが設定するための設定手段と、を有し、前記生成手段は、前記設定手段で設定されたチャンネル及び／又は時刻範囲に含まれる番組の番組領域を、番組情報に代えて所定のマーク情報を表示するマーク表示領域に置換するとともに、当該マーク表示領域に置換する前には前記第１の表示領域には表示されていなかったチャンネル及び／又は時刻に対応する番組領域を前記第１の表示領域に配置して表示するようにした電子番組ガイド画面を生成し、当該電子番組ガイド画面において表示された前記マーク表示領域がユーザによる操作によりカーソルで選択された場合、選択されたマーク表示領域に置換された前記番組領域を表示するための操作を示すメッセージを前記第２の表示領域に表示する構成とした。
【００１３】
【発明の実施の形態】
以下、図面を用いて本発明の実施形態について詳細に説明する。
【００１４】
図１は第一の実施形態として本発明が適用されるデジタルＴＶ放送受信装置の構成を示したブロック図である。
【００１５】
図１において、不図示のアンテナにより受信された信号はチューナー部１０１に入力される。チューナー部１０１は、入力された信号に対して、復調、誤り訂正等の処理を施し、トランスポートストリームと呼ばれる形式のデジタルデータを生成する。更に、生成したトランスポートストリーム（ＴＳ）データをデスクランブラ１０２に出力する。
【００１６】
デスクランブラ１０２は、視聴制限の為のスクランブルがかけられているＴＳデータがチューナー部１０１より入力された場合、ＴＳデータに含まれるデスクランブルの為の鍵情報とＩＣカード制御部１１７より出力される鍵情報とに基づいて、スクランブル解除を行い、デマルチプレクサ１０３に出力する。
【００１７】
ここで、ＩＣカード制御部１１７は、ユーザの契約情報及びＴＳデータに含まれるデスクランブルの為の鍵情報を解く為の鍵情報が格納されているＩＣカードを含み、デスクランブラ１０２より入力されたデスクランブルの為の鍵情報を解く為の鍵情報があった場合、その鍵情報をデスクランブラ１０２に出力する。
【００１８】
また、デスクランブラ１０２は、チューナー部１０１よりスクランブルがかけられていないＴＳデータを入力した場合には、ＴＳデータをそのまま、デマルチプレクサ１０３に出力する。
【００１９】
デマルチプレクサ１０３は、デスクランブラ１０２より入力された複数チャンネル分の映像、音声データ、及びＥＰＧデータ等が時分割多重化されているＴＳデータの中から、操作部１１４の操作により選択されたチャンネルにおいて現在放送中の番組に係る映像データＤ１及び音声データＤ２を取り出し、それぞれをビデオデコーダ１０４、オーディオデコーダ１０５に出力する。また、デマルチプレクサ１０３は、前述のＴＳデータよりＥＰＧデータＤ３を取り出し、メモリ１０７に出力する。メモリ１０７は、デマルチプレクサ１０３よりのＥＰＧデータＤ３を記憶する。
【００２０】
ここで、図１に示す如く、各ブロックは共通のバス１２０に接続されている。
【００２１】
また、ＴＳデータはパケット単位で伝送され、パケットの先頭部分には、ＰＩＤ（Packet Identification）が付加されている。デマルチプレクサ１０３は、このＰＩＤを読み取ることで、映像データＤ１、音声データＤ２、ＥＰＧデータＤ３の識別を行う。
【００２２】
まず、映像データについて説明する。ビデオデコーダ１０４は、デマルチプレクサ１０３より入力された映像データＤ１に対して、ＭＰＥＧ２のデコード処理を施し、復号した映像データを表示制御部１０９に出力する。表示制御部１０９は、ビデオデコーダ１０４、ＥＰＧ画面構成部Ｉ１０８−１、ＵＩ画面構成部１１１より入力された映像データを操作部１１４の操作に応じて画面を切り換えたり、多重したりして画像表示部１１２に表示させる。ここで、ＥＰＧ画面構成部Ｉ１０８−１及びＵＩ画面構成部１１１については後述する。また、画像表示部１１２は、不図示のモニタ及び映像信号入力端子を含む。
【００２３】
次に、音声データについて説明する。オーディオデコーダ１０５は、デマルチプレクサ１０３より入力された音声データＤ２に対して、ＭＰＥＧ２のデコード処理を施し、復号した音声データをＤＡＣ１１０に出力する。ＤＡＣ１１０は、オーディオデコーダ１０５より入力された音声データに対して、Ｄ／Ａ変換の処理を施し、音声出力部１１３に出力する。また、音声出力部１１３は、不図示のスピーカ及び音声信号入力端子を含む。
【００２４】
そして、ＥＰＧデータについて説明する。ＥＰＧを構成するのに必要なデータは、「IEC13818-1 MPEG2 SYSTEM」や社団法人 電波産業会（通称ＡＲＩＢ）における標準規格「ディジタル放送に使用する番組陳列情報」等で規定されるデータ構造で伝送される。
【００２５】
主要な構成データとして、編成チャンネルの名称、放送事業者の名称など、編成チャンネルに関する情報を伝送するＳＤＴ（Service Description Table）、ブーケ（編成チャンネルの集合）の名称、含まれる編成チャンネルなど、ブーケに関する情報を伝送するBAT（Bouquet Association Table）、番組の名称、放送開始日時、内容の説明など、番組に関する情報を伝送するEIT（Event Information Table）、現在の日付、時刻の情報を伝送するTDT（Time Date Table）等が挙げられる。
【００２６】
まず、受信した番組情報をすべて表示する通常のＥＰＧ表示の動作を説明する。操作部１１４若しくはリモコン１１６において、ＥＰＧを表示させる為の操作がなされると、操作部１１４からのＥＰＧ表示指示、若しくは受光部１１５により受信したリモコン１１６からのＥＰＧ表示指示は、システム制御部１１８に入力される。
【００２７】
システム制御部１１８は、操作部１１４若しくは受光部１１５からのＥＰＧ表示指示が入力された場合に、メモリ１０７より必要な情報を読み出し、ＥＰＧデコーダ１０６に出力する。
【００２８】
ここで読み出される情報は、操作部１１４若しくはリモコン１１６の操作に応じて、後述の如く選択されたチャンネルにおける番組情報である。
【００２９】
また、映像画面より後述のノーマルボタンの押下によりＥＰＧ画面に表示を切換える場合は、システム制御部１１８は、前回のＥＰＧ画面表示の時に表示されていたチャンネルをメモリ１０７より読み出し、更に、そのチャンネルにおいて、現在時刻に対応した時間帯に放送される番組についての情報をメモリ１０７より読み出す。
【００３０】
ＥＰＧデータＤ３には、前述の如く、ＳＤＴ、ＥＩＴ、ＴＤＴ等のデータが含まれている。ＥＰＧデコーダ１０６は、まず、ＴＤＴを読み出し、現在時刻の情報を取得すると共に、システム制御部１１８に現在時刻の情報を出力する。システム制御部１１８は、現在時刻の情報を入力し、現在時刻に対応したＥＰＧ表示の時間帯を判別し、適当な時間帯情報をＥＰＧデコーダ１０６に出力する。
【００３１】
次に、システム制御部１１８より入力された時間帯情報に基づいて、メモリ１０７よりＳＤＴを読み出し、番組表の有無の確認、自他ストリームのチャンネル名、チャンネル番号等の情報を取得する。
【００３２】
更に、メモリ１０７よりＥＩＴを読み出し、自他ストリームの各チャンネル中の番組名、その開始時刻、カテゴリ、番組の説明等の情報を取得する。そして、ＥＰＧデコーダ１０６は、これらのメモリ１０７より読み出されたＥＰＧデータＤ３に対して、デコード処理を施し、復号されたＥＰＧデータＤ４をＥＰＧ画面構成部Ｉ１０８−１に出力する。
【００３３】
ＥＰＧ画面構成部Ｉ１０８−１は、ＥＰＧデコーダ１０６より入力したＥＰＧデータＤ４に基づいて、通常のＥＰＧ画面を構成する為のキャラクタ信号を表示制御部１０９に出力する。
【００３４】
表示制御部１０９は、操作部１１４及びリモコン１１６の操作に応じて、ビデオデコーダ１０４から出力される映像データに係る映像、ＥＰＧ画面構成部Ｉ１０８−１より出力されるキャラクタ信号に係る通常のＥＰＧ画面、後述のＥＰＧ画面構成部ＩＩ１０８−２より出力されるキャラクタ信号に係る間引きＥＰＧ画面、後述のＵＩ画面構成部１１１より出力されるキャラクタ信号に係るＵＩ画面を切り換えて表示するように画像表示部１１２に対して映像信号を出力する。そして、操作部１１４及びリモコン１１６において、通常のＥＰＧ画面表示の指示操作があった場合は、ＥＰＧ画面構成部Ｉ１０８−１より出力されたキャラクタ信号を画像表示部１１２に出力する。
【００３５】
このように画像表示部１１２に表示したチャンネル情報は、メモリ１０７に記憶され、次回のＥＰＧ画面表示の時にメモリ１０７より読み出され、前述の如くＥＰＧ画面を再表示する。
【００３６】
次に、指定したチャンネルや時間帯を所定のキャラクタに変換して表示する間引きＥＰＧ表示の動作について説明する。操作部１１４若しくはリモコン１１６において、間引きＥＰＧを表示させる為の操作がなされると、操作部１１４からの間引きＥＰＧ表示指示、若しくは受光部１１５により受信したリモコン１１６からの間引きＥＰＧ表示指示は、システム制御部１１８に入力される。
【００３７】
システム制御部１１８は、操作部１１４若しくは受光部１１５からの間引きＥＰＧ表示指示が入力された場合に、メモリ１０７より間引かれＥＰＧ情報を読み出し、ＥＰＧデコーダ１０６に出力する。
【００３８】
ここで、間引かれＥＰＧとは、所定のキャラクタに変換されるチャンネルや時間帯のＥＰＧのことで、その設定手順は後述する。また、後述の設定手順により設定された間引かれＥＰＧ情報は、メモリ１０７に記憶されている。
【００３９】
ＥＰＧデコーダ１０６は、前述の如くメモリ１０７よりＴＤＴを読み出し、システム制御部１１８に現在時刻の情報を出力する。システム制御部１１８は、現在時刻の情報を入力し、前述の間引かれＥＰＧ情報と現在時刻の情報より判別した適当な時間帯情報をＥＰＧデコーダ１０６に出力する。
【００４０】
次に、システム制御部１１８より入力された間引かれＥＰＧ情報及び時間帯情報に基づいて、メモリ１０７よりＳＤＴを読み出し、番組表の有無の確認、自他ストリームのチャンネル名、チャンネル番号等の情報を取得する。
【００４１】
更に、メモリ１０７よりＥＩＴを読み出し、自他ストリームの各チャンネル中の番組名、その開始時刻、カテゴリ、番組の説明等の情報を取得する。そして、ＥＰＧデコーダ１０６は、これらのメモリ１０７より読み出されたＥＰＧデータＤ３に対して、デコード処理を施し、復号されたＥＰＧデータＤ４をＥＰＧ画面構成部ＩＩ１０８−２に出力する。
【００４２】
ＥＰＧ画面構成部ＩＩ１０８−２は、ＥＰＧデコーダ１０６より入力したＥＰＧデータＤ４に基づいて、間引きＥＰＧ画面を構成する為のキャラクタ信号を表示制御部１０９に出力する。
【００４３】
表示制御部１０９は、前述の如く、映像画面、ＥＰＧ画面等の切り換え表示をするべく画像表示部１１２に対して映像信号を出力する。そして、操作部１１４及びリモコン１１６において、間引きＥＰＧ画面表示の指示操作があった場合は、ＥＰＧ画面構成部ＩＩ１０８−２より出力されたキャラクタ信号を画像表示部１１２に出力する。
【００４４】
図２に通常のＥＰＧ画面の表示例を示す。図２において、２０１はチャンネル名や番号、２０２は各番組の開始及び終了時間を明示する為の時間軸、２０３は各番組を選択する為の選択カーソル、２０４は前記選択カーソルによって選択されている番組のチャンネル名、番号、番組名、放送日時、番組内容等を表示する領域、２０５は現在の日時をそれぞれ示している。
【００４５】
図３に間引きＥＰＧ画面の表示例を示す。図３において、３０１はチャンネル名や番号、３０２は各番組の開始及び終了時間を明示する為の時間軸、３０３は各番組を選択する為の選択カーソル、３０４は前記選択カーソルによって選択されている番組のチャンネル名、番号、番組名、放送日時、番組内容等を表示する領域、３０５は現在の日時をそれぞれ示している。また、３０６は後述の間引きＥＰＧの設定により指定された時間帯を置換えていることを表す“◆”マーク、３０７は同様に指定されたチャンネルを置換えていることを表す“●”マーク、３０８は同様に指定された時間帯及びチャンネルを置換えていることを表す“★”マークを示している。
【００４６】
前記選択カーソルは、図１に示すカーソル発生部１１９において発生され、操作部１１４若しくはリモコン１１６の操作により、選択カーソルの移動、領域の指定等が行われる。前記操作部１１４及びリモコン１１６の一例を図４(a)、図４(b)に示す。但し、本図は本実施形態を説明する為に必要な機能を実現する為の操作を行うボタンのみを表すものであり、実際の受信装置に必要な操作ボタンは、この限りではない。
【００４７】
また、図４に示したものの他、マウス等のポインティングデバイスを用いることも可能である。
【００４８】
図４において、４０１はリモコンと図１の受光部１１５との赤外線通信を行う為の発光部、４０２はチャンネル番号を入力する為のテンキー、４０３は通常のＥＰＧ画面を表示させる為のノーマルボタン、４０４は選択カーソルを上下左右に移動させる為のカーソルボタン、４０５は選択カーソルによって指定されている領域選択の決定を行う為の決定ボタン、４０６はＥＰＧの表示内容を変更させる為に使用するチェンジボタン、４０７は間引きＥＰＧを表示させる為の間引きボタンをそれぞれ示している。
【００４９】
通常のＥＰＧ画面表示について、詳しい動作を説明する。ユーザは、図４におけるノーマルボタン４０３を押下することで、図２に示すような通常のＥＰＧ画面を表示させることができる。図２において、選択カーソル２０３の位置を図４におけるカーソルボタン４０４によって右方向に移動させれば、ＥＰＧ画面が時間軸方向（横方向）にスクロールし、午前１０時以降のＥＰＧ画面表示を行う。一方、選択カーソル２０３を下方向に移動させれば、ＥＰＧ画面がチャンネル表示軸方向（縦方向）にスクロールし、１０８チャンネル以降のＥＰＧ画面表示を行う。
【００５０】
また、ユーザが図４におけるチェンジボタン４０６を押下すると、図６に示すようなＥＰＧ切換え操作画面が表示される。ＥＰＧ切換え操作画面では、操作部１１４及びリモコン１１６の操作によって、ＥＰＧ画面をスクロールさせることなく、ＥＰＧ画面に表示する時間帯やチャンネルを切換えることができる。
【００５１】
その操作フローの一例を図５に示す。Ｓ５０１において、図４におけるチェンジボタン４０６を押下し、Ｓ５０２において、図６に示すような切換え操作画面を表示する。この切換え操作画面は、図１におけるＵＩ画面構成部１１１において構成される。ユーザはＳ５０３〜Ｓ５０６において、図４におけるカーソルボタン４０４及びテンキー４０２を用いて、“日”“時”“分”“チャンネル番号”の数値を入力し、Ｓ５０７において、図４における決定ボタン４０５を押下する。Ｓ５０８において、以上の変更が反映されたＥＰＧ画面を表示する。
【００５２】
図６は、ＥＰＧ切換え操作画面の表示例であり、ここでは、１１月１７日２０時３０分の１０８チャンネルが表示されるように設定している。
【００５３】
図７は、図６におけるＥＰＧ切換え操作画面で設定した場合に表示されるＥＰＧ画面の表示例である。
【００５４】
次に、間引きＥＰＧ画面表示について、詳しい動作を説明する。ユーザは、図４における間引きボタン４０７を押下することで、図３に示すような間引きＥＰＧ画面を表示させることができる。画面のスクロール方法は前述の通常のＥＰＧ画面での操作と同様である。
【００５５】
また、ユーザが図４におけるチェンジボタン４０６を押下すると、図９に示すような間引きＥＰＧ表示操作画面が表示される。間引きＥＰＧ表示操作画面では間引きＥＰＧ画面において所定のキャラクタに置き換えるチャンネルや時間帯、つまり間引かれＥＰＧの設定を行う。
【００５６】
その操作フローの一例を図８に示す。Ｓ８０１において、図４におけるチェンジボタンを押下し、Ｓ８０２において、図９に示すような間引きＥＰＧ表示操作画面を表示する。この間引きＥＰＧ表示操作画面は、図１におけるＵＩ画面構成部１１１において構成される。ユーザはＳ８０３〜８０６において、図４におけるカーソルボタン４０４及びテンキー４０２を用いて、“間引き開始時間”“間引き終了時間”“間引き開始チャンネル”“間引き終了チャンネル”の数値を入力し、Ｓ８０７において、選択カーソルが“終了”を選択している場合は、Ｓ８０８に進み、図４における決定ボタン４０５を押下する。一方、Ｓ８０７において選択カーソルが“終了”を選択していない場合は、Ｓ８１０において“次へ”に選択カーソルをあわせ、図４における決定ボタン４０５を押下し、Ｓ８０３に戻る。そして、Ｓ８０９において、以上の指定が反映された間引きＥＰＧ画面を表示する。
【００５７】
図９は、間引きＥＰＧ表示操作画面の表示例であり、ここでは、７時から２０時まで、１０５ｃｈから１１４ｃｈまでの番組情報を所定のマークに置き換えるように設定している。
【００５８】
図３に示した間引きＥＰＧ画面は、図９の間引きＥＰＧ表示操作画面における設定内容で表示されたものである。
【００５９】
また、間引きＥＰＧ画面において、操作部１１４及びリモコン１１６の操作により、間引かれＥＰＧを表している所定のマークを指示することで、前記間引かれEPGを表示させることができる。
【００６０】
例えば、図１０においては、ユーザによって前述の如く設定された７：００〜２０：００の間のＥＰＧが所定のマーク“◆”３０６で表されている。ここで、選択カーソル３０３を“◆”の位置に合わせ、図４における決定ボタン４０５を押下することで、同図中３０４で示した領域にその次の操作を支援するメッセージが表示される。これに従い、ユーザが７：００〜１１：００のＥＰＧ画面表示を行いたい場合には、図４におけるテンキー４０３を用いて数字の“１”を選択し、決定ボタン４０５を押下することで、図１１に示す７：００〜１１：００の間引かれＥＰＧ画面が表示される。
【００６１】
また、図１２において、ユーザによって前述の如く設定された１０５ｃｈ〜１１４ｃｈの間のＥＰＧが所定のマーク“●”３０７で表されている。ここで、選択カーソル３０３を“●”の位置に合わせ、図４における決定ボタン４０５を押下することで、同図中３０４で示した領域にその次の操作を支援するメッセージが表示される。これに従い、ユーザが１０５ｃｈ〜１１１ｃｈのＥＰＧ画面表示を行いたい場合には、図４におけるテンキー４０３を用いて数字の“１”を選択し、決定ボタン４０５を押下することで、図１３に示す１０５ｃｈ〜１１１ｃｈの間引かれＥＰＧ画面が表示される。
【００６２】
図１４において、ユーザによって前述の如く設定された７：００〜２０：００、１０５ｃｈ〜１１４ｃｈの間のＥＰＧが所定のマーク“★”３０８で表されている。ここで、選択カーソル３０３を“★”の位置に合わせ、図４における決定ボタン４０５を押下することで、同図中３０４で示した領域にその次の操作を支援するメッセージが表示される。これに従い、ユーザが７：００〜１１：００の１０５ｃｈ〜１１１ｃｈのＥＰＧ画面表示を行いたい場合には、図４におけるテンキー４０３を用いて数字の“１”を選択し、決定ボタン４０５を押下することで、図１５に示す７：００〜１１：００の１０５ｃｈ〜１１１ｃｈの間引かれＥＰＧ画面が表示される。
【００６３】
この様に、本形態では、ＥＰＧ画面表示において、ユーザにより指定されたチャンネルや時間帯を所定のマークに置き換えて表示させる様にしたので、ユーザにとって不必要な番組情報を表示するスペースが削減され、必要な番組情報を効率よく表示することができる。従って、所望の番組情報を容易にみつけることができる。
【００６４】
更に、不必要な番組情報の存在を明示しているので、ＥＰＧ画面表示の視認性を向上することができ、容易にその番組情報の確認ができる。
【００６５】
また、本形態では、通常のＥＰＧ画面、間引きＥＰＧ画面及びＵＩ画面を映像画面から切換えて表示しているが、これらの画面と映像画面とを多重して表示するようにしてもよい。
【００６６】
また、本形態では、間引かれＥＰＧ表示させる場合に、間引きＥＰＧ画面から切換えて表示しているが、図１６に示す如く、間引かれＥＰＧと間引きＥＰＧとを多重して表示するようにしてもよい。
【００６７】
また、本形態では、EPG画面及び映像画面を本体に内蔵のモニタに表示しているが、映像出力端子を備えるような構成であって、EPGデータに係る映像信号及び映像データに係る映像信号を外部の表示装置に出力するようにしてもよい。
【００６８】
また、本形態では、テレビジョン信号を受信する場合について述べているが、テレビジョン信号だけでなく、オーディオ信号、ネットワークを介して供給される情報信号等であってもよい。
【００６９】
そして、本形態では、テレビジョン信号受信装置に対して本発明を適用した場合について説明したが、これ以外にも、複数のプログラム情報をリスト表示して各種設定を可能とするような表示機能を備える信号処理装置に対して本発明を適用可能であり、同様の効果を有する。
【００７０】
次に第２の実施形態として本発明が適用される記憶媒体について説明する。図１７は前記記憶媒体を適用したデジタルＴＶ放送受信装置のブロック図である。図１と同様の構成要素については同一番号を付し、その詳細な説明は省略する。
【００７１】
図１７において、制御部１７０１は、図１における１０２〜１０６、１０８〜１１１、１１７〜１１９の構成要素と同様の処理を行う為のプログラムを記憶しているＲＯＭ、ワークメモリとしてのＲＡＭ及びＲＯＭに記憶されているプログラムを実行する為のＣＰＵとを備える。
【００７２】
そして、制御部１７０１は、操作部１１４及びリモコン１１６の操作に応じてＲＯＭより前記プログラムを読み出し、チューナー部１０１より入力された信号に対して、読み出されたプログラムに従って処理を施し、処理を施した信号を画像表示部１１２及び音声出力部１１３に出力する。
【００７３】
この様に、本形態では、ＥＰＧ画面表示において、ユーザにより指定されたチャンネルや時間帯を所定のマークに置き換えて表示させる様にしたので、ユーザにとって不必要な番組情報を表示するスペースが削減され、必要な番組情報を効率よく表示することができる。従って、所望の番組情報を容易にみつけることができる。
【００７４】
更に、不必要な番組情報の存在を明示しているので、ＥＰＧ画面表示の視認性を向上することができ、容易にその番組情報の確認ができる。
【００７５】
なお、本形態では、通常のＥＰＧ画面、間引きＥＰＧ画面及びＵＩ画面を映像画面から切換えて表示しているが、これらの画面と映像画面とを多重して表示するようにしてもよい。
【００７６】
また、本形態では、間引かれＥＰＧ表示させる場合に、間引きＥＰＧ画面から切換えて表示しているが、図１６に示す如く、間引かれＥＰＧと間引きＥＰＧとを多重して表示するようにしてもよい。
【００７７】
また、本形態では、テレビジョン信号を受信する場合について述べているが、テレビジョン信号だけでなく、オーディオ信号、ネットワークを介して供給される情報信号等であってもよい。
【００７８】
更に、本形態では、テレビジョン信号受信装置に対して本発明を適用した場合について説明したが、これ以外にも、複数のプログラム情報をリスト表示して各種設定を可能とするような表示機能を備える信号処理装置に対して本発明を適用可能であり、同様の効果を有する。
【００７９】
【発明の効果】
以上説明したように、本発明によれば、設定されたチャンネル及び／又は時刻範囲に含まれる番組の番組領域を、番組情報に代えて所定のマーク情報を表示するマーク表示領域に置換するとともに、マーク表示領域に置換する前には番組領域を配置していた領域内に表示されていなかったチャンネル及び／又は時刻に対応する番組領域を表示するようにしたことで、ユーザにとって不必要な番組情報を表示していたスペースが削減され、必要な番組情報を効率よく表示することができる。従って、所望の番組情報を容易にみつけることができる。
【００８０】
更に、不必要な番組情報の存在を明示しているので、ＥＰＧ画面表示の視認性を向上することができ、容易にその番組情報の確認ができる。
【図面の簡単な説明】
【図１】本発明が適用されるデジタルTV放送受信装置の構成を第一の実施形態として示す図である。
【図２】通常のEPG画面の表示例を示す図である。
【図３】間引きEPG画面の表示例を示す図である。
【図４】図１における操作部１１４及びリモコン１１６を示す図である。
【図５】  EPG画面切換え操作のフローチャートを示す図である。
【図６】  EPG切換え操作画面の表示例を示す図である。
【図７】図６におけるEPG切換え操作画面によって切換えられたEPG画面の表示例を示す図である。
【図８】間引きEPG表示操作のフローチャートを示す図である。
【図９】間引きEPG表示操作画面の表示例を示す図である。
【図１０】間引きEPG画面の表示例を示す図である。
【図１１】間引かれEPG画面の表示例を示す図である。
【図１２】間引きEPG画面の表示例を示す図である。
【図１３】間引かれEPG画面の表示例を示す図である。
【図１４】間引きEPG画面の表示例を示す図である。
【図１５】間引かれEPG画面の表示例を示す図である。
【図１６】間引きEPG画面の表示例を示す図である。
【図１７】本発明が適用される記憶媒体を適用したデジタルTV放送受信装置の構成を第二の実施形態として示す図である。
【図１】
0004240636.tif 000002
【図２】
0004240636.tif 000003
【図３】
0004240636.tif 000004
【図４】
0004240636.tif 000005
【図５】
0004240636.tif 000006
【図６】
0004240636.tif 000007
【図７】
0004240636.tif 000008
【図８】
0004240636.tif 000009
【図９】
0004240636.tif 000010
【図１０】
0004240636.tif 000011
【図１１】
0004240636.tif 000012
【図１２】
0004240636.tif 000013
【図１３】
0004240636.tif 000014
【図１４】
0004240636.tif 000015
【図１５】
0004240636.tif 000016
【図１６】
0004240636.tif 000017
【図１７】
0004240636.tif 000018